(57)【要約】【課題】蒸気発生の応答性と経済性との両方を考慮したボイラ制御装置を提供すること。【解決手段】蒸気を発生させる複数種類のボイラの制御を行うボイラ制御装置１０は、単位時間あたりの可能最大発生蒸気量と、蒸気発生の応答期間の大小を示す応答性と、蒸気発生のコストの大小を示すボイラの蒸気発生効率及び経済性とに関するデータを複数種類のボイラの各々について記憶する性能データベース１４２と、発生蒸気量の変更信号に基づき性能データベース１４２から応答性の値が大きいボイラから順に発生蒸気量を制御する信号を送信する応答性制御信号送信部１０６と、変更信号により発生蒸気量が変更されたことに応じて、総合の発生蒸気量を一定に保持しつつ、性能データベース１４２から経済性の値が大きいボイラの発生蒸気量を上昇させ、経済性の値の小さいボイラの発生蒸気量を減少させる信号を送信する経済性制御信号送信部１０８と、を備える。【選択図】図１
2009127878.tif 000002
【特許請求の範囲】
【請求項１】
蒸気を発生させる複数種類のボイラの制御を行うボイラ制御装置であって、
単位時間あたりに発生可能な最大の蒸気量である可能最大発生蒸気量と、蒸気発生のための信号を受け付けてから蒸気発生までの応答期間の大小を示す応答性と、蒸気発生に用いる燃料の単価等により定める単位時間あたりの発生蒸気量のコストの大小を示すボイラの蒸気発生効率及び経済性とに関するデータを前記複数種類のボイラの各々について記憶するデータベースと、
発生蒸気量の変更信号を受け付けたことに応じて、前記データベースに記憶された前記複数種類のボイラのうち前記応答性の値が大きいボイラから順に発生蒸気量を制御する信号を送信する応答性制御信号送信部と、
前記変更信号により前記発生蒸気量が変更されたことに応じて、前記発生蒸気量を一定に保持しつつ、前記データベースに記憶された前記複数種類のボイラのうち前記経済性の値が大きいボイラの発生蒸気量を上昇させ、前記経済性の値の小さい前記ボイラの発生蒸気量を減少させる信号を送信する経済性制御信号送信部と、を備えることを特徴とするボイラ制御装置。
【請求項２】
請求項１に記載のボイラ制御装置において、
パラメータ入力部を備え、
前記データベースに記憶された前記データは、前記パラメータ入力部からの入力に基づき変更可能に構成されることを特徴とするボイラ制御装置。
【請求項３】
請求項１又は２に記載のボイラ制御装置において、
前記経済性制御信号送信部は、前記複数種類のボイラのうち前記経済性の値が大きいボイラの発生蒸気量を、前記データベースに記憶される前記可能最大発生蒸気量の所定値を超えない範囲で上昇させる信号を送信することを特徴とするボイラ制御装置。
【請求項４】
請求項１から３のいずれかに記載のボイラ制御装置において、
前記複数種類のボイラの各々が発生させた単位時間あたりの蒸気量と、前記蒸気量の総量が格納された蒸気集合・分配部の圧力とを監視する監視部と、
前記監視部により監視される前記圧力の上昇及び下降を判断する圧力判断部と、を備え、
前記応答性制御信号送信部は、前記圧力判断部により前記圧力が上昇したと判断したことに応じて、前記ボイラの発生蒸気量を減少させる信号を送信し、前記圧力判断部により前記圧力が下降したと判断したことに応じて、前記ボイラの発生蒸気量を増加させる信号を送信することを特徴とするボイラ制御装置。
【請求項５】
請求項４に記載のボイラ制御装置において、
前記応答性制御信号送信部は、前記応答性の値が大きいボイラから順に、又は同一値のボイラは同時に、前記圧力判断部により前記圧力が上昇したと判断されたときは発生蒸気量を減少させるため、前記圧力が下降したと判断されたときは発生蒸気量を増加させるため、ボイラの発生蒸気量を制御する信号を送信し、
前記経済性制御信号送信部は、前記経済性の値が大きいボイラから順に、又は同一値のボイラは同時に、ボイラの発生蒸気量を上昇させ経済性の値が小さいボイラの発生蒸気量を減少させるように制御することを特徴とするボイラ制御装置。
【発明の詳細な説明】
【技術分野】
【０００１】
本発明は、工場等の蒸気源として用いられるボイラを制御するボイラ制御装置に関する。
【背景技術】
【０００２】
従来、工場等の蒸気源として、ボイラを用いることが行われている。以前は、大型のボイラを設置して、大量の蒸気を発生させていたが、近年では、大型のボイラに替えて小型のボイラを複数台設置することにより、同等の蒸気を発生させることが行われている。これらのボイラを用いた蒸気の発生に関し、工場内での蒸気需要の変動には、ボイラの運転台数や燃焼レベルを変化させて発生蒸気量を調整している。このような調整方法は、工場等の蒸気の需要と、ボイラの発生蒸気量とに差があると、蒸気圧力の変化となって表れることにより行われる。蒸気圧力が変化すると安定した蒸気を提供できないため、圧力を一定とするように圧力設定値や時限設定値を定め、これによりボイラの台数や燃焼レベルを制御して、工場等に蒸気を供給している。
【０００３】
発生蒸気量に重点を置いた方法として、発生蒸気供給設備において、発生蒸気量の観点からより効率的な設備の運用を図ったプロセス蒸気発生設備の運用方法が開示されている（例えば、特許文献１）。
【特許文献１】特開２００３−２２２３０１号公報
【発明の開示】
【発明が解決しようとする課題】
【０００４】
現状のように、大型ボイラと、リプレースや増設等で小型のボイラとが混在する場合等、ボイラが複数種類並存する場合がある。ボイラの種類が異なれば、単位時間あたりの発生蒸気量の他、蒸気発生のための信号を受け付けてから蒸気発生までの応答期間の大小を示す応答性や、蒸気発生に係る燃料の単価に対する発生蒸気量の割合の大小を示す経済性が異なる。しかし、特許文献１では、そのうちの経済性に特化した運用方法を行うものであった。
【０００５】
本発明は、このような問題点を解決するためになされたもので、蒸気発生の応答性と経済性との両方を考慮したボイラ制御装置を提供することを目的とする。
【課題を解決するための手段】
【０００６】
より具体的には、本発明は、次のようなものを提供する。
【０００７】
（１）  蒸気を発生させる複数種類のボイラ（３，５）の制御を行うボイラ制御装置（１０）であって、単位時間あたりに発生可能な最大の蒸気量である可能最大発生蒸気量と、蒸気発生のための信号を受け付けてから蒸気発生までの応答期間の大小を示す応答性と、蒸気発生に用いる燃料の単価等により定める単位時間あたりの発生蒸気量のコストの大小を示すボイラの蒸気発生効率及び経済性とに関するデータを前記複数種類のボイラの各々について記憶するデータベース（１４０）と、発生蒸気量の変更信号を受け付けたことに応じて、前記データベースに記憶された前記複数種類のボイラのうち前記応答性の値が大きいボイラから順に発生蒸気量を制御する信号を送信する応答性制御信号送信部（１０６）と、前記変更信号により前記発生蒸気量が変更されたことに応じて、前記発生蒸気量を一定に保持しつつ、前記データベースに記憶された前記複数種類のボイラのうち前記経済性の値が大きいボイラの発生蒸気量を上昇させ、前記経済性の値の小さい前記ボイラの発生蒸気量を減少させる信号を送信する経済性制御信号送信部（１０８）と、を備えることを特徴とするボイラ制御装置である。
【０００８】
（１）の発明によれば、ボイラ制御装置は、ボイラの種類毎の運転台数や燃料レベルを変化させて調整する際に、複数種類のボイラの制御を、応答性の値が大きいボイラから順に行い、蒸気使用量とボイラ発生蒸気量とのバランスの安定をとり、その後、経済性の大きいボイラの発生蒸気量を上昇させ経済性の小さいボイラの発生蒸気量を減少させる。よって、応答性を優先した制御を行って、次に経済性を優先して制御を行うので、蒸気発生の安定性を考慮して発生蒸気量の調整を行うことができる。つまり、応答性及び経済性の異なる複数のボイラの発生蒸気量の調整を、蒸気負荷の変動に対して安定した供給を行いつつ、省エネルギーや経済単価の安い蒸気源を優先して使用するように行うことができる。ここで、応答性の値が大きいほど、発生蒸気量の調整の信号を受信してから、調整した蒸気量を発生させる時間が短く、圧力の変動が小さい。また、経済性の値が大きいほど、発生蒸気量あたりの燃料費が安価である。
【０００９】
（２）  請求項１に記載のボイラ制御装置（１０）において、パラメータ入力部（１２０）を備え、前記データベース（１４０）に記憶された前記データは、前記パラメータ入力部からの入力に基づき変更可能に構成されることを特徴とするボイラ制御装置である。
【００１０】
（２）の発明によれば、ボイラ制御装置は、パラメータ入力部を備えている。パラメータ入力部は、複数種類のボイラの各々についての可能最大発生蒸気量、応答性及び経済性に関するデータを記憶するデータベースを更新するための入力を行う。そのため、データベースのデータを、例えば、燃料単価の変更があった場合に、現状に即したデータに簡易に書き換えることができる。よって、入力された現状に即したデータを用いて、その時点で経済性に最も適した発生蒸気量の制御を行うことができる。
【００１１】
（３）  請求項１又は２に記載のボイラ制御装置（１０）において、前記経済性制御信号送信部（１０８）は、前記複数種類のボイラ（３，５）のうち前記経済性の値が大きいボイラの発生蒸気量を、前記データベース（１４０）に記憶される前記可能最大発生蒸気量の所定値を超えない範囲で上昇させる信号を送信することを特徴とするボイラ制御装置である。
【００１２】
（３）の発明によれば、ボイラ制御装置は、複数種類のボイラのうち経済性の値が大きいボイラの発生蒸気量を、データベースに記憶される当該ボイラの可能最大発生蒸気量の所定値を超えない範囲で上昇させる信号を送信する。経済性の値が大きいボイラは、安価に蒸気を発生させるため、有効に活用することが求められるが、あわせて余裕率を適切に有することにより、更なる発生蒸気量の上昇に備えることができる。例えば、所定値を９０％とすると、１０％の余裕率を有することができる。
【００１３】
（４）  請求項１から３のいずれかに記載のボイラ制御装置（１０）において、前記複数種類のボイラ（３，５）の各々が発生させた単位時間あたりの蒸気量と、前記蒸気量の総量が格納された蒸気集合・分配部（２０）の圧力とを監視する監視部（１０２）と、前記監視部により監視される前記圧力の上昇及び下降を判断する圧力判断部（１０４）と、を備え、前記応答性制御信号送信部（１０６）は、前記圧力判断部により前記圧力が上昇したと判断したことに応じて、前記ボイラの発生蒸気量を減少させる信号を送信し、前記圧力判断部により前記圧力が下降したと判断したことに応じて、前記ボイラの発生蒸気量を増加させる信号を送信することを特徴とするボイラ制御装置である。
【００１４】
（４）の発明によれば、ボイラ制御装置は、単位時間あたりの発生蒸気量と、蒸気集合・分配部の圧力とを監視し、圧力の上昇及び下降を判断することにより、ボイラの発生蒸気量を変更する。よって、蒸気集合・分配部の圧力を監視することにより、圧力を一定に保つようにボイラの制御を行うことができる。また、応答性の値の大きいボイラから順に発生蒸気量を制御するので、蒸気圧力の安定性を考慮したボイラの制御を行うことができる。
【００１５】
（５）  請求項４に記載のボイラ制御装置（１０）において、前記応答性制御信号送信部（１０６）は、前記応答性の値が大きいボイラから順に、又は同一値のボイラは同時に、前記圧力判断部（１０４）により前記圧力が上昇したと判断されたときは発生蒸気量を減少させるため、前記圧力が下降したと判断されたときは発生蒸気量を増加させるため、ボイラの発生蒸気量を制御する信号を送信し、前記経済性制御信号送信部（１０８）は、前記経済性の値が大きいボイラから順に、又は同一値のボイラは同時に、ボイラの発生蒸気量を上昇させ経済性の値が小さいボイラの発生蒸気量を減少させるように制御することを特徴とするボイラ制御装置である。
【００１６】
（５）の発明によれば、ボイラ制御装置は、各ボイラに関する可能最大発生蒸気量をデータベースに記憶することで、同一の性能を有するボイラが複数存在する場合に、圧力が上昇したと判断されたときは発生蒸気量を減少させるため、前記圧力が下降したと判断されたときは発生蒸気量を増加させるために応答性の値が大きいボイラの発生蒸気量を制御することができる。よって、同一の性能を有するボイラに関して、特定のボイラのみを多く稼動させることなく、どのボイラも均等に稼動させることができるので、ボイラの消耗を均等にさせることができる。
【発明の効果】
【００１７】
本発明によれば、蒸気発生の応答性と経済性との両方を考慮したボイラ制御装置を提供することができる。
【発明を実施するための最良の形態】
【００１８】
（実施形態）
以下、本発明を実施するための最良の形態について図を参照しながら説明する。なお、これはあくまでも一例であって、本発明の技術的範囲はこれに限られるものではない。
【００１９】
［システムの全体構成］
図１は、本実施形態の一例に係るボイラシステム１の全体構成を示す図である。
【００２０】
本実施形態におけるボイラシステム１は、複数の小型ボイラ３、１台の大型ボイラ５、小型ボイラ３及び大型ボイラ５が発生する蒸気を格納する蒸気集合・分配部２０、並びに小型ボイラ３、大型ボイラ５、及び蒸気集合・分配部２０と制御信号ケーブル１２を介して接続され、各装置を制御するボイラ制御装置１０により構成される。
【００２１】
小型ボイラ３は、例えば、工場において、増設する場合や大型ボイラ５をリプレースする際に設置される。小型ボイラ３は、単位時間あたりの発生蒸気量が大型ボイラ５と比べて劣るが、指令を受けてから指定の蒸気を発生させるまでの期間が短く、応答性に優れている。また、省エネ効果も有する。他方、大型ボイラ５は、応答性や省エネ効果は、小型ボイラ３と比べて劣るものの、小型ボイラ３よりも一度に大量の蒸気を発生させることができる。
【００２２】
蒸気集合・分配部２０は、小型ボイラ３及び大型ボイラ５により発生された蒸気を、蒸気信号ケーブル１４を介して格納する装置である。蒸気集合・分配部２０に格納された蒸気は、例えば、工場等の蒸気源として使用される。
【００２３】
ボイラ制御装置１０は、制御部１００、パラメータ入力部１２０、及びデータベース１４０により構成される。制御部１００は、主として監視部１０２、圧力判断部１０４、応答性制御信号送信部１０６、及び経済性制御信号送信部１０８を有している。また、データベース１４０は、性能データベース１４２及び運用データベース１４４を有する。制御部１００、パラメータ入力部１２０、及びデータベース１４０の詳細については後述する。
【００２４】
［データベース］
図２は、本実施形態の一例に係るデータベース１４０に格納される各データベースの例を示す図である。
【００２５】
図２（ａ）は、性能データベース１４２を示す。性能データベース１４２は、ボイラの種類ごとに各ボイラの性能を示すものである。図２（ａ）では、小型ボイラ３及び大型ボイラ５について、可能最大発生蒸気量１４２１、応答性１４２２、経済性１４２３、燃料単価１４２４、及び単位燃料あたりの発生蒸気量１４２５の各項目に、それぞれ数値が記憶されている。可能最大発生蒸気量１４２１を参照すると、小型ボイラ３が「２．０Ｔ／ｈ」であるのに対し、大型ボイラ５が「２０．０Ｔ／ｈ」であるため、大型ボイラ５が小型ボイラ３の１０倍の蒸気を単位時間あたりに発生させることが可能であることを示す。また、応答性１４２２は、制御部１００（図１参照）が、蒸気の発生に関する命令をボイラに送信してから、各ボイラが命令の内容に応じた蒸気を発生させるまでにかかる時間を示す。図２（ａ）の例によれば、小型ボイラ３が「９０ｓ」であるのに対し、大型ボイラ５が「４５０ｓ」であるので、小型ボイラ３の方が応答性に優れていることが分かる。また、経済性１４２３は、燃料単価及び単位燃料あたりの発生蒸気量から、発生蒸気量の効率を示す指標を示す。この経済性１４２３の値が大きいほど、経済性に優れていることが分かる。図２（ａ）の例によれば、小型ボイラ３の方が値が大きいので、経済性に優れていることが分かる。この性能データベース１４２は、パラメータ入力部１２０（図１参照）により数値の変更をすることができる。特に、燃料単価等においては、変動するものであるため、実情に沿った内容に更新する必要が高い。よって、パラメータ入力部１２０を備えることにより、入力された現状に即したデータを用いて、発生蒸気量の制御を行うことができる。
【００２６】
図２（ｂ）は、運用データベース１４４を示す。運用データベース１４４は、ボイラシステム１を構成する全てのボイラについて、運転中か否か、及び単位時間あたりの発生蒸気量を記憶している。各ボイラが運転中か否かは、運転中フラグ１４４１が「１」か「０」かにより示す。運転中フラグ１４４１が「１」の場合は、該当のボイラが運転中であることを示す。また、発生蒸気量１４４２は、現時点で発生している単位時間あたりの蒸気量を示す。例えば、小型ボイラ３ｇは、運転中フラグ１４４１が「０」であり、例えばメンテナンス等の理由により停止中であるため、発生蒸気量１４４２の値が示されていない。また、小型ボイラ３ａから３ｆと大型ボイラ５とは、運転中フラグ１４４１が「１」であるため、運転中であることを示し、発生蒸気量１４４２には各々該当の発生蒸気量が格納されている。
【００２７】
［処理フロー］
次に、蒸気集合・分配部２０の圧力の変化に伴い、各ボイラの発生させる蒸気量を制御する制御処理について説明する。図３及び図４は、本実施形態の一例に係るボイラ制御装置１０の制御処理に関するフローチャートである。
【００２８】
まず、ステップＳ１１では、制御部１００（監視部１０２）は、蒸気集合・分配部２０内の圧力を監視する。ここでは、工場等の稼動状況により使用する蒸気量が変動するため、制御部１００は、所定の圧力を保っているか否かを監視する。
【００２９】
次に、ステップＳ１２では、制御部１００（圧力判断部１０４）は、蒸気集合・分配部２０内の圧力が上昇したか否かを判断する。圧力が上昇した場合（ステップＳ１２：Ｙ）には、上昇した圧力を下降させる処理を行うため、制御部１００は、処理をステップＳ１４に移す。他方、圧力が上昇していない場合（ステップＳ１２：Ｎ）には、制御部１００は、処理をステップＳ１３に移す。
【００３０】
ステップＳ１３では、制御部１００（圧力判断部１０４）は、蒸気集合・分配部２０内の圧力が下降したか否かを判断する。圧力が下降した場合（ステップＳ１３：Ｙ）には、制御部１００は、下降した圧力を上昇させる処理を行うため、図４のステップＳ２１に処理を移す。他方、圧力が下降していない場合（ステップＳ１３：Ｎ）には、制御部１００（監視部１０２）は、処理をステップＳ１１に移し、引続き蒸気集合・分配部２０内の圧力を監視する。
【００３１】
ステップＳ１４では、制御部１００（応答性制御信号送信部１０６）は、性能データベース１４２を参照し、応答性の値の大きい、すなわち応答性に優れた小型ボイラ３を１台停止させる信号を対象の小型ボイラ３に送信する。この例のように、同一の性能を有する小型ボイラ３が複数台存在する場合には、制御部１００が発生させる乱数によりランダムに１台を決定してもよいし、各小型ボイラ３の使用開始時から発生させた蒸気量の総量を、例えば、データベース１４０の運用データベース１４４に記憶し、最も使用頻度の高い小型ボイラ３を選択して停止させてもよい。その場合、運用データベース１４４の該当の小型ボイラ３の運転中フラグ１４４１及び発生蒸気量１４４２の値を変更する。このように、各ボイラに関する総蒸気量をデータベース１４０に記憶することで、同一の性能を有するボイラが複数存在する場合に、総蒸気量が均等となるように発生蒸気量を制御することができる。よって、特定のボイラのみを多く稼動させることなく、どのボイラも均等に稼動させることができるので、ボイラの消耗を均等にさせることができる。
【００３２】
次に、ステップＳ１５では、所定の時間の経過後、制御部１００（監視部１０２）は、圧力が安定したか否かを判断する。所定の時間とは、例えば、性能データベース１４２を用いて小型ボイラ３の応答性１４２２から導き出した、該当の蒸気量を発生させることが可能な時間をいう。圧力が安定した場合（ステップＳ１５：Ｙ）には、制御部１００は、処理をステップＳ１６に移す。他方、圧力が安定しない場合（ステップＳ１５：Ｎ）には、制御部１００は、処理をステップＳ１４に移し、さらに応答性に優れたボイラを１台停止させる。ここで、最終的に求める圧力に応じて、ボイラを停止させることに代えて発生蒸気量を減ずることも可能である。
【００３３】
ステップＳ１６では、制御部１００は、経済性演算により、最適な経済性を算出する。これは、経済性の値が優れたボイラを優先的に、かつ、所定値を越えない限度で使用することを示す。経済性の値が大きいボイラは、安価に蒸気を発生させるため、有効に活用することが求められるが、余裕率を有することにより、更なる発生蒸気量の上昇に備えることができる。例えば、所定値を９０％とすると、１０％の余裕率を有することができる。
【００３４】
その後、ステップＳ１７では、制御部１００（経済性制御信号送信部１０８）は、ステップＳ１６で算出した最適な経済性に基づき、各小型ボイラ３及び大型ボイラ５の発生蒸気量を調整するための信号を各小型ボイラ３及び大型ボイラ５に送信する。その場合、運用データベース１４４の該当の小型ボイラ３の運転中フラグ１４４１及び発生蒸気量１４４２の値を変更する。その後、制御部１００は、本処理を終了する。
【００３５】
他方、図４のステップＳ２１では、制御部１００は、応答性の値の大きい、すなわち応答性に優れた停止中のボイラが存在するか否かを、運用データベース１４４に基づき判断する。該当のボイラが存在する場合（ステップＳ２１：Ｙ）には、制御部１００は、処理をステップＳ２２に移す。他方、該当のボイラが存在しない場合（ステップＳ２１：Ｎ）には、制御部１００は、処理をステップＳ２３に移す。
【００３６】
ステップＳ２２では、制御部１００（応答性制御信号送信部１０６）は、性能データベース１４２を参照し、応答性の値の大きい、すなわち応答性に優れた小型ボイラ３を１台起動させる信号を、該当の小型ボイラ３に送信する。その後、制御部１００は、処理をステップＳ２４に移す。
【００３７】
他方、ステップＳ２３では、制御部１００（応答性制御信号送信部１０６）は、性能データベース１４２を参照し、応答性の値の大きい、すなわち応答性に優れた小型ボイラ３の蒸気発生量を増加させる信号を、該当の小型ボイラ３に送信する。その後、制御部１００は、処理をステップＳ２４に移す。
【００３８】
ステップＳ２４では、所定の時間の経過後、制御部１００（監視部１０２）は、圧力が安定したか否かを判断する。所定の時間は、上述のステップＳ１５と同様である。圧力が安定した場合（ステップＳ２４：Ｙ）には、制御部１００は、処理をステップＳ２５に移す。他方、圧力が安定しない場合（ステップＳ２４：Ｎ）には、制御部１００は、処理をステップＳ２１に移し、さらに応答性の優れたボイラを起動させ、又はボイラの蒸気発生量を増加させる。
【００３９】
ステップＳ２５では、制御部１００は、応答性の値の大きいボイラの蒸気発生量を調整しつつ、経済性演算により最適な経済性を算出する。その後、ステップＳ２６では、制御部１００（経済性制御信号送信部１０８）は、ステップＳ２５で算出した最適な経済性に基づき、各小型ボイラ３及び大型ボイラ５の発生蒸気量を調整するための信号を各小型ボイラ３及び大型ボイラ５に送信する。その場合、運用データベース１４４の該当の小型ボイラ３の運転中フラグ１４４１及び発生蒸気量１４４２の値を変更する。その後、制御部１００は、本処理を終了する。
【００４０】
よって、小型ボイラ３と大型ボイラ５を有するボイラ制御装置１０において、ボイラの制御を、応答性の値が大きいボイラから順に行い、その後、経済性の大きいボイラの発生蒸気量を上昇させ、それに伴い経済性の小さいボイラの発生蒸気量を減少させる。よって、応答性を優先した制御を行って、次に経済性を優先して制御を行うので、蒸気発生の安定性を考慮して発生蒸気量の調整を行うことができる。つまり、応答性及び経済性の異なる複数のボイラの発生蒸気量の調整を、蒸気負荷の変動に対して安定した供給を行いつつ、省エネルギーや経済単価の安い蒸気源を優先して使用するように行うことができる。ここで、応答性の値が大きいほど、発生蒸気量の調整の信号を受信してから、調整した蒸気量を発生させる時間が短く、すぐに応答する。また、経済性の値が大きいほど、発生蒸気量あたりの燃料費が安価である。
【００４１】
また、ボイラ制御装置１０は、単位時間あたりの蒸気量と、蒸気集合・分配部２０の圧力とを監視し、圧力の上昇及び下降を判断することにより、ボイラの発生蒸気量を変更する。よって、蒸気集合・分配部２０の圧力を監視することにより、圧力を一定に保つようにボイラの制御を行うことができる。また、応答性の値の大きいボイラから順に発生蒸気量を制御するので、蒸気圧力の安定性を考慮したボイラの制御を行うことができる。
【００４２】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４３】
（変形形態）
以上説明した実施形態に限定されることなく、種々の変形や変更が可能であって、それらも本発明の範囲内である。
【００４４】
本実施形態では、蒸気集合・分配部内の圧力を監視し、圧力の変化に伴い圧力を一定に保つようにボイラの発生蒸気量を調整した。しかし、これに限らず、時間により発生蒸気量を調整してもよい。例えば、図５に示すような２４時間内の蒸気需要を示す工場において、必要な発生蒸気量は時間ごとに予め決められているため、時間による制御を行うことで発生蒸気量を調整できる。これは、工場等の蒸気需要が、日次もしくは週次等で定期的な作業を行う場合に有効な手段である。スケジュールを組むことで、圧力の変動を待たず先行して工場の蒸気需要バランスがとれた安定した蒸気を、応答性及び経済性を考慮して提供することができる。
【００４５】
また、本実施形態では、複数の小型ボイラと１台の大型ボイラとの構成に関するものであったが、これに限らず、様々な性能を有するボイラの場合にも使用することができる。
【図面の簡単な説明】
【００４６】
【図１】本実施形態の一例に係るボイラシステムの全体構成を示す図である。
【図２】本実施形態の一例に係るデータベースに格納される各データベースの例を示す図である。
【図３】本実施形態の一例に係るボイラ制御装置の制御処理に関するフローチャートである。
【図４】図３に続くフローチャートである。
【図５】本実施形態の一例に係るボイラシステムの全体構成を示す図である。
【符号の説明】
【００４７】
１      ボイラシステム
３      小型ボイラ
５      大型ボイラ
１０    ボイラ制御装置
１２    制御信号ケーブル
１４    蒸気信号ケーブル
２０    蒸気集合・分配部
１００  制御部
１０２  監視部
１０４  圧力判断部
１０６  応答性制御信号送信部
１０８  経済性制御信号送信部
１２０  パラメータ入力部
１４０  データベース
１４２  性能データベース
１４４  運用データベース
【図１】
2009127878.tif 000003
【図２】
2009127878.tif 000004
【図３】
2009127878.tif 000005
【図４】
2009127878.tif 000006
【図５】
2009127878.tif 000007